(57)【要約】【課題】側壁下部に大きな側圧が加えられたり、あるいは一部の側壁に局部的に水流が強く当っても、これに十分に対抗することができると共に、組み立てを迅速に行うことができる組み立て式水槽を提供する。【解決手段】組み立て式水槽１は、囲枠状の枠体２と、該枠体２の内側に上開容器状に配置される防水シート製の水槽袋４とを備えてなる。枠体２は、組み立てられた水槽１の各コーナー部及び各側壁の延在方向中間部にそれぞれ等間隔に立設される支柱６と、各支柱６の上部に連結される上枠８と、各支柱６の下部に連結される下枠１０と、各支柱６の高さ方向途中部に連結される中間枠１２とを有している。下枠１０は、帯板状のものであり、板面を略水平方向にして水槽袋４の周囲部の下側に配置される。【選択図】図１
2006137492.tif 000002
【特許請求の範囲】
【請求項１】
囲枠状の枠体と、
該枠体の内側に上開容器状に配置される水槽袋と
を備えてなる組み立て式水槽において、
該枠体は、該水槽袋の周囲に所定間隔をおいて立設された複数本の支柱と、該周囲方向に延在し、該支柱の上部同士を連結する上枠と、該周囲方向に延在し、該支柱の下部同士を連結する下枠と、該周囲方向に延在し、該支柱の高さ方向途中部同士を連結する中間枠とを有し、
該水槽袋は、水を収容したときに、その底部外周縁の一部が該下枠の上側へ膨出するように配置されることを特徴とする組み立て式水槽。
【請求項２】
請求項１において、該下枠は、板面を略水平方向にして配置される帯板状であることを特徴とする組み立て式水槽。
【請求項３】
請求項２において、前記支柱は、該下枠の下側に配置される座板と、該座板から起立する支柱本体と、該支柱の上部及び高さ方向途中部にそれぞれ設けられた係止部とを備えてなり、
前記上枠及び中間枠には、該係止部への係止手段が設けられており、
前記下枠には、該係止部が通過可能であり且つ前記座板が通過不能な、前記支柱本体の挿通用の開口が設けられていることを特徴とする組み立て式水槽。
【請求項４】
請求項３において、該支柱の前記高さ方向途中部に、前記係止部としてフランジが設けられており、該フランジに係止穴が設けられており、
前記中間枠には、前記係止手段として、該係止穴に係合するフック部が設けられていることを特徴とする組み立て式水槽。
【請求項５】
請求項３において、該支柱の前記高さ方向途中部に、前記係止部として、軸心線方向を上下方向として配置された管状ないし環状体が設けられており、
前記中間枠には、前記係止手段として、該管状ないし環状体に係合するフック部が設けられていることを特徴とする組み立て式水槽。
【請求項６】
請求項３ないし５のいずれか１項において、該支柱の前記上部に、前記係止部としてフランジが設けられており、該フランジに係止穴が設けられており、
前記上枠には、前記係止手段として、該係止穴に係合するフック部が設けられていることを特徴とする組み立て式水槽。
【請求項７】
請求項３ないし５のいずれか１項において、該支柱の前記上部に、前記係止部として、軸心線方向を上下方向として配置された管状ないし環状体が設けられており、
前記上枠には、前記係止手段として、該管状ないし環状体に係合するフック部が設けられていることを特徴とする組み立て式水槽。
【請求項８】
請求項３ないし５のいずれか１項において、該支柱の前記上部に、前記係止部としてフランジが設けられており、
前記上枠には、前記係止手段として、前記支柱本体が挿通可能であり且つ該フランジが通過不能な挿通穴が設けられていることを特徴とする組み立て式水槽。
【請求項９】
請求項１ないし８のいずれか１項において、前記水槽袋の上縁には、前記上枠が挿通される挿通部が設けられていることを特徴とする組み立て式水槽。
【請求項１０】
請求項１ないし９のいずれか１項において、前記下枠、上枠及び中間枠のうち少なくとも下枠は、前記支柱に対し非連結となっている状態において、その延在方向の長さを短くすることができるように構成されていることを特徴とする組み立て式水槽。
【請求項１１】
請求項１０において、該下枠は、該下枠よりも短い長さを有した複数の帯板状の短板よりなり、
各短板は、該下枠の延在方向に一直線状に延在した直列状態と、
互いに重なり合った折り畳み状態とをとりうるように回動結合部材によって回動可能に結合されていることを特徴とする組み立て式水槽。
【請求項１２】
請求項１ないし１１のいずれか１項において、前記水槽袋の下側を、該水槽袋を横断する方向に延在した下側補助枠が設けられており、
該水槽袋の両側に立設された前記支柱の下部同士が該下側補助枠によって連結されていることを特徴とする組み立て式水槽。
【請求項１３】
請求項１２において、該下側補助枠は、支柱に対し非連結となっている状態において、その延在方向の長さを短くすることができるように構成されていることを特徴とする組み立て式水槽。
【請求項１４】
請求項１３において、該下側補助枠は、各支柱の下部に係止される係止体と、
該係止体同士を連結した変形自在な線状部材と
を備えていることを特徴とする組み立て式水槽。
【請求項１５】
請求項１４において、該係止体は、支柱が挿通される開口を有していることを特徴とする組み立て式水槽。
【請求項１６】
請求項１５において、該係止体は、その一部が前記水槽袋の下側に配置されるように延在した帯板状であることを特徴とする組み立て式水槽。
【請求項１７】
請求項１４ないし１６のいずれか１項において、前記線状部材は、チェーン、ロープ、ワイヤ又はベルトであることを特徴とする組み立て式水槽。
【請求項１８】
請求項１ないし１７のいずれか１項において、前記水槽袋の上側を、該水槽袋を横断する方向に延在した上側補助枠が設けられており、
該水槽袋の両側に立設された前記支柱の上部同士が該上側補助枠によって連結されていることを特徴とする組み立て式水槽。
【請求項１９】
請求項１８において、該上側補助枠は、支柱に対し非連結となっている状態において、その延在方向の長さを短くすることができるように構成されていることを特徴とする組み立て式水槽。
【請求項２０】
請求項１９において、該上側補助枠は、各支柱の上部に係止される係止体と、
該係止体同士を連結した変形自在な線状部材と
を備えていることを特徴とする組み立て式水槽。
【請求項２１】
請求項２０において、各支柱の上部に前記係止体が係止される上側係止部が設けられると共に、高さ方向途中部に中間係止部が設けられており、
該係止部には、該係止体から延出し、該中間係止部に係止されることにより、該係止体が該上側係止部から上方に離脱することを防止する離脱防止部材が設けられていることを特徴とする組み立て式水槽。
【請求項２２】
請求項２０又は２１において、前記線状部材は、チェーン、ロープ、ワイヤ又はベルトであることを特徴とする組み立て式水槽。
【発明の詳細な説明】
【技術分野】
【０００１】
本発明は、上開容器状に組み立てられて内部に液を溜めるための組み立て式水槽に関するものであり、特にコンビナート等で用いるのに好適な組み立て式水槽に関する。
【背景技術】
【０００２】
石油コンビナート、化学工場等で火災が発生した場合、消火に泡消火剤が使用される。泡消火剤の原液は、通常これらの工場に保管されており、これを化学消防車で水希釈して放水している。火災が大規模化した場合、水希釈された消火剤が大量に必要になり、化学消防車における希釈では消火が間に合わない。そこで、石油コンビナート等では、泡消化剤を大量の水で希釈する水槽が必要となる。
【０００３】
この水槽は、非常時にのみ必要となるものであるから、平常時は分解状態で保管しておき、非常時に組み立てて使用するよう構成されることが望まれる。
【０００４】
実開昭５７−２０２９９０号公報には組み立て式の水槽として、水槽の周囲を取り巻く上枠及び下枠を間柱で連結して円環状の枠ユニットを構築し、この枠ユニットの内周に沿ってフェンスを取り付け、この枠ユニットの内側に防水シート製の円形水槽袋を配置したものが記載されている。
【特許文献１】実開昭５７−２０２９９０号公報
【発明の開示】
【発明が解決しようとする課題】
【０００５】
Ｉ．上記実開昭５７−２０２９９０号公報の組み立て式水槽を組み立てて水を溜めた場合、側周壁の下部には水圧によって極めて大きな側圧がかかるので、枠ユニットの下部が放射方向へ張り出すように変形して側周壁が傾き、水が溢出したり枠ユニットが損壊したりするおそれがある。
【０００６】
また、上記実開昭５７−２０２９９０号公報の組み立て式水槽を組み立て、これに大量の水をホース等から急激に注いだ場合、水流が側壁の一部に局部的に強く当たり、この側壁部分が外方に押されて傾いたり転倒したりするおそれもある。
【０００７】
本発明は、側壁下部に大きな側圧が加えられたり、あるいは一部の側壁に局部的に水流が強く当っても、これに十分に対抗することができる組み立て式水槽を提供することを目的とする。
【０００８】
II．上記実開昭５７−２０２９９０号公報の上枠、下枠と間柱とはボルトによって連結されている。
【０００９】
このようなボルトによる連結は著しく時間がかかり、火災時には水槽の組み立てが消火作業に間に合わないおそれがある。
【００１０】
本発明は、その一態様において、組み立てを迅速に行うことができる組み立て式水槽を提供することを目的とする。
【課題を解決するための手段】
【００１１】
請求項１の組み立て式水槽は、囲枠状の枠体と、該枠体の内側に上開容器状に配置される水槽袋とを備えてなる組み立て式水槽において、該枠体は、該水槽袋の周囲に所定間隔をおいて立設された複数本の支柱と、該周囲方向に延在し、該支柱の上部同士を連結する上枠と、該周囲方向に延在し、該支柱の下部同士を連結する下枠と、該周囲方向に延在し、該支柱の高さ方向途中部同士を連結する中間枠とを有し、該水槽袋は、水を収容したときに、その底部外周縁の一部が該下枠の上側へ膨出するように配置されることを特徴とする。
【００１２】
請求項２の組み立て式水槽は、請求項１において、該下枠は、板面を略水平方向にして配置される帯板状であることを特徴とする。
【００１３】
請求項３の組み立て式水槽は、請求項２において、前記支柱は、該下枠の下側に配置される座板と、該座板から起立する支柱本体と、該支柱の上部及び高さ方向途中部にそれぞれ設けられた係止部とを備えてなり、前記上枠及び中間枠には、該係止部への係止手段が設けられており、前記下枠には、該係止部が通過可能であり且つ前記座板が通過不能な、前記支柱本体の挿通用の開口が設けられていることを特徴とする。
【００１４】
請求項４の組み立て式水槽は、請求項３において、該支柱の前記高さ方向途中部に、前記係止部としてフランジが設けられており、該フランジに係止穴が設けられており、前記中間枠には、前記係止手段として、該係止穴に係合するフック部が設けられていることを特徴とする。
【００１５】
請求項５の組み立て式水槽は、請求項３において、該支柱の前記高さ方向途中部に、前記係止部として、軸心線方向を上下方向として配置された管状ないし環状体が設けられており、前記中間枠には、前記係止手段として、該管状ないし環状体に係合するフック部が設けられていることを特徴とする。
【００１６】
請求項６の組み立て式水槽は、請求項３ないし５のいずれか１項において、該支柱の前記上部に、前記係止部としてフランジが設けられており、該フランジに係止穴が設けられており、前記上枠には、前記係止手段として、該係止穴に係合するフック部が設けられていることを特徴とする。
【００１７】
請求項７の組み立て式水槽は、請求項３ないし５のいずれか１項において、該支柱の前記上部に、前記係止部として、軸心線方向を上下方向として配置された管状ないし環状体が設けられており、前記上枠には、前記係止手段として、該管状ないし環状体に係合するフック部が設けられていることを特徴とする。
【００１８】
請求項８の組み立て式水槽は、請求項３ないし５のいずれか１項において、該支柱の前記上部に、前記係止部としてフランジが設けられており、前記上枠には、前記係止手段として、前記支柱本体が挿通可能であり且つ該フランジが通過不能な挿通穴が設けられていることを特徴とする。
【００１９】
請求項９の組み立て式水槽は、請求項１ないし８のいずれか１項において、前記水槽袋の上縁には、前記上枠が挿通される挿通部が設けられていることを特徴とする。
【００２０】
請求項１０の組み立て式水槽は、請求項１ないし９のいずれか１項において、前記下枠、上枠及び中間枠のうち少なくとも下枠は、前記支柱に対し非連結となっている状態において、その延在方向の長さを短くすることができるように構成されていることを特徴とする。
【００２１】
請求項１１の組み立て式水槽は、請求項１０において、該下枠は、該下枠よりも短い長さを有した複数の帯板状の短板よりなり、各短板は、該下枠の延在方向に一直線状に延在した直列状態と、互いに重なり合った折り畳み状態とをとりうるように回動結合部材によって回動可能に結合されていることを特徴とする。
【００２２】
請求項１２の組み立て式水槽は、請求項１ないし１１のいずれか１項において、前記水槽袋の下側を、該水槽袋を横断する方向に延在した下側補助枠が設けられており、該水槽袋の両側に立設された前記支柱の下部同士が該下側補助枠によって連結されていることを特徴とする。
【００２３】
請求項１３の組み立て式水槽は、請求項１２において、該下側補助枠は、支柱に対し非連結となっている状態において、その延在方向の長さを短くすることができるように構成されていることを特徴とする。
【００２４】
請求項１４の組み立て式水槽は、請求項１３において、該下側補助枠は、各支柱の下部に係止される係止体と、該係止体同士を連結した変形自在な線状部材とを備えていることを特徴とする。
【００２５】
請求項１５の組み立て式水槽は、請求項１４において、該係止体は、支柱が挿通される開口を有していることを特徴とする。
【００２６】
請求項１６の組み立て式水槽は、請求項１５において、該係止体は、その一部が前記水槽袋の下側に配置されるように延在した帯板状であることを特徴とする。
【００２７】
請求項１７の組み立て式水槽は、請求項１４ないし１６のいずれか１項において、前記線状部材は、チェーン、ロープ、ワイヤ又はベルトであることを特徴とする。
【００２８】
請求項１８の組み立て式水槽は、請求項１ないし１７のいずれか１項において、前記水槽袋の上側を、該水槽袋を横断する方向に延在した上側補助枠が設けられており、該水槽袋の両側に立設された前記支柱の上部同士が該上側補助枠によって連結されていることを特徴とする。
【００２９】
請求項１９の組み立て式水槽は、請求項１８において、該上側補助枠は、支柱に対し非連結となっている状態において、その延在方向の長さを短くすることができるように構成されていることを特徴とする。
【００３０】
請求項２０の組み立て式水槽は、請求項１９において、該上側補助枠は、各支柱の上部に係止される係止体と、該係止体同士を連結した変形自在な線状部材とを備えていることを特徴とする。
【００３１】
請求項２１の組み立て式水槽は、請求項２０において、各支柱の上部に前記係止体が係止される上側係止部が設けられると共に、高さ方向途中部に中間係止部が設けられており、該係止部には、該係止体から延出し、該中間係止部に係止されることにより、該係止体が該上側係止部から上方に離脱することを防止する離脱防止部材が設けられていることを特徴とする。
【００３２】
請求項２２の組み立て式水槽は、請求項２０又は２１において、前記線状部材は、チェーン、ロープ、ワイヤ又はベルトであることを特徴とする。
【発明の効果】
【００３３】
本発明（請求項１）の組み立て式水槽を組み立ててなる水槽にあっては、水槽袋は、水を収容したときに、その底部外周縁の一部が下枠の上側へ膨出するように配置される。従って、水槽袋内に水が供給されると、この水の重量によって下枠が上方から押え付けられる。そのため、水槽側壁の下部に大きな側圧がかかったり、側壁の一部に局部的に水流が当っても、側壁が傾いたり変形したりすることが防止される。
【００３４】
下枠としては、帯板状のものが、構成が簡便であり、好適である（請求項２）。この帯板状の下枠は、板面を略水平方向にして配置され、該板面上に水槽袋が配置される。
【００３５】
支柱としては、該下枠の下側に配置される座板と、該座板から起立する支柱本体と、該支柱の上部及び高さ方向途中部にそれぞれ設けられた係止部とを備えてなるものが好適である（請求項３）。この場合、上枠及び中間枠に、該係止部への係止手段を設けておく。該係止部に上枠及び中間枠を係止させることにより、該上枠及び中間枠をそれぞれ簡単に且つ迅速に支柱に連結することができる。
【００３６】
また、この場合、下枠には、該係止部が通過可能であり且つ前記座板が通過不能な、前記支柱本体の挿通用の開口を設けておく。この場合、上枠及び中間枠を係止部に係止させるのに先立って、下枠の開口に支柱を挿入し、この支柱に沿って該下枠を上方から落し込む如くして支柱と下枠とを連結する。この連結も極めて簡単であり、迅速に行うことができる。
【００３７】
この場合、例えば、該係止部として、支柱の上部及び高さ方向途中部にフランジを設け、各フランジに係止穴を設けると共に、上枠及び中間枠に、該係止穴に係合するフック部を設けることが好ましい（請求項４，６）。このフック部を該係止穴に係合させることにより、該上枠及び中間枠がそれぞれ支柱に連結される。この連結は極めて簡単であり、迅速に行うことができる。
【００３８】
このフランジの代りに、係止部として、軸心線方向を上下方向として配置された管状ないし環状体を設けてもよい（請求項５，７）。この場合、フック部を該管状ないし環状体の内孔に上方から落とし込むようにして係合させることにより、上枠及び中間枠がそれぞれ支柱に連結される。この連結も極めて簡単であり、迅速に行うことができる。
【００３９】
上枠の係止構造は、支柱の上部に係止部としてフランジが設けられており、上枠には、係止手段として、支柱本体が挿通可能であり且つ該フランジが通過不能な挿通穴が設けられている構成であってもよい（請求項８）。この場合、該挿通穴に支柱本体の上端部を差し込み、上枠を該支柱本体に沿って落し込んで支柱上部のフランジ上に係止する。この場合にも、上枠を支柱に対し簡単に且つ迅速に連結することができる。
【００４０】
本発明では、水槽袋の上縁には、上枠が挿通される例えばトンネル状等の挿通部を設けておくのが好ましい（請求項９）。水槽袋を枠体の内側に配置すると共に、上枠をこの挿通部に挿通し、上枠を支柱に連結することにより、水槽袋の側壁上縁が上枠に支持された水槽が構築される。
【００４１】
本発明においては、下枠、上枠及び中間枠のうち少なくとも下枠を、水槽分解時（各支柱に対し非連結状態となっているとき）にその延在方向の長さを短くすることができるように構成することが好ましい（請求項１０）。このように構成することにより、組み立て式水槽の収納スペースを小さく抑えることが可能となると共に、運搬時にこれらの部材が嵩張らず、運搬作業を容易に行うことが可能となる。
【００４２】
本発明の一態様（請求項１１）においては、下枠は、水槽構築時（支柱の下部同士を連結した状態のとき）の該下枠の長さよりも短い長さを有する複数の短板よりなり、これらの短板が、該下枠の延在方向に一直線状に延在した直列状態と、互いに重なり合った折り畳み状態とをとりうるように回動結合部材で結合された構成となっている。
【００４３】
これらの短板同士を重ね合わせるようにして下枠を折り畳むことにより、該下枠の長さを短くして収納したり運搬することができる。また、これらの短板を展開して直列状態とすることにより、下枠の長さを水槽構築時の長さとして水槽を組み立てることができる。なお、この展開された下枠は、請求項２の態様と同様の帯板状のものとなり、板面を略水平方向にして配置され、該板面上に水槽袋が配置される。
【００４４】
本発明では、水槽袋の下側に、該水槽袋を横断する方向に延在する下側補助枠を設け、この下側補助枠により、該水槽袋の両側に立設された支柱の下部同士を連結してもよい（請求項１２）。このように構成することにより、組み立てられた水槽内に水が供給されて水槽側壁の下部に大きな側圧がかかっても、この水槽を取り囲む枠体が外側に膨れ出すように変形することが防止される。
【００４５】
この下側補助枠を、水槽分解時にその延在方向の長さを短くすることができるように構成することが好ましい（請求項１３）。このように構成することにより、該下側補助枠の収納スペースを小さく抑えることが可能となると共に、運搬時に該下側補助枠が嵩張らず、運搬作業を容易に行うことが可能となる。
【００４６】
本発明の一態様（請求項１４）においては、該下側補助枠は、各支柱の下部に係止される係止体と、該係止体同士を連結した変形自在な線状部材とからなる。この態様にあっては、該線状部材を変形させて係止体同士を接近ないし重ね合わせることにより、下側補助枠の長さを短くすることができる。
【００４７】
この場合、該係止体は、支柱が挿通される開口を有したものであることが好ましい（請求項１５）。この係止体を支柱の下部に係止するに当っては、該開口に支柱を挿入し、該支柱に沿って係止体を落とし込むようにする。この係止方法は極めて簡単であり、迅速に行うことが可能である。
【００４８】
この係止体は、一部が水槽袋の下側に配置されるように延在した帯板状であることが好ましい（請求項１６）。このように構成した場合、水槽袋の下側に入り込んだ係止体の板面上に該水槽袋内の水の重量がかかり、この係止体が連結された各支柱の下部が地面に押え付けられるため、該水槽袋の側壁に側圧がかかっても各支柱が外側へ傾きにくくなる。
【００４９】
請求項１７の通り、この下側補助枠の線状部材としては、チェーン、ロープ、ワイヤ又はベルトなどが例示されるが、これに限定されるものではない。
【００５０】
本発明では、水槽袋の上側に、該水槽袋を横断する方向に延在する上側補助枠を設け、この上側補助枠により、該水槽袋の両側に立設された支柱の上部同士を連結してもよい（請求項１８）。このように構成することにより、組み立てられた水槽内に水が供給されて水槽側壁に大きな側圧がかかっても、この水槽の周囲の支柱が外側へ傾くことが防止される。
【００５１】
この上側補助枠を、水槽分解時にその延在方向の長さを短くすることができるように構成することが好ましい（請求項１９）。このように構成することにより、該上側補助枠の収納スペースを小さく抑えることが可能となると共に、運搬時に該上側補助枠が嵩張らず、運搬作業を容易に行うことが可能となる。
【００５２】
本発明の一態様（請求項２０）においては、該上側補助枠は、各支柱の上部に係止される係止体と、該係止体同士を連結した変形自在な線状部材とからなる。この態様にあっては、該線状部材を変形させて係止体同士を接近ないし重ね合わせることにより、上側補助枠の長さを短くすることができる。
【００５３】
請求項２１の態様にあっては、この上側補助枠を設置するに当り、該上側補助枠を水槽袋の上側に張り渡し、各係止体を該水槽袋の両側の各支柱の上側係止部に係止すると共に、該係止体から延出した離脱防止部材を該支柱の中間係止部に係止する。これにより、水槽に水を供給する際などに該水槽に加わる振動等によって不用意に係止体が支柱から外れることを防止することができる。
【００５４】
請求項２２の通り、この上側補助枠の線状部材としても、チェーン、ロープ、ワイヤ又はベルトなどが例示されるが、これに限定されるものではない。
【発明を実施するための最良の形態】
【００５５】
以下に、図面を参照して本発明の実施の形態について説明する。第１図は実施の形態に係る組み立て式水槽の組み立て完了状態における斜視図、第２図（ａ）は水槽袋の斜視図、第２図（ｂ）は第２図（ａ）のＢ−Ｂ線に沿う断面図、第３図は下枠及び支柱の全体斜視図、第４図（ａ）は支柱の斜視図、第４図（ｂ）は支柱と下枠との連結部分の分解斜視図、第５図は支柱と上枠又は中間枠との連結部分の拡大斜視図、第６図は支柱と上側補助枠との連結部分の拡大斜視図である。
【００５６】
この組み立て式水槽１は、囲枠状の枠体２と、該枠体２の内側に上開容器状に配置される防水シート製の水槽袋４とを備えてなる。この実施の形態では、該水槽袋４は、第２図（ａ）に示すように、略正方形の底面４ａと、該底面４ａの４辺にそれぞれ連なる４面の側壁４ｂとを有する。
【００５７】
第１図に示す通り、枠体２は、組み立てられた水槽１の各コーナー部及び各側壁の延在方向中間部（以下、単に「中間部」と称する。）にそれぞれ等間隔に立設される計８本の支柱６と、各支柱６の上部に連結される上枠８と、各支柱６の下部に連結される下枠１０と、各支柱６の高さ方向途中部に連結される中間枠１２と、水槽袋４の上側を横切って配置され、両端が中間部の支柱６，６の上部にそれぞれ連結される上側補助枠１４と、水槽袋４の下側を横切って配置され、両端が中間部の支柱６，６の下部にそれぞれ連結される下側補助枠１６とを有している。
【００５８】
各支柱６は、第４図（ａ）に示すように、地面上に設置される座板６ａと、該座板６ａから起立する棒状の支柱本体６ｂと、該支柱本体６ｂの上部及び高さ方向の途中の２箇所に設けられた、係止部としての上段、中段及び下段の各フランジ６ｃと、各フランジ６ｃに設けられた係止穴６ｄとを備えてなる。各フランジ６ｃは座板６ａよりも小径となっている。各々のフランジ６ｃにおいては、係止穴６ｄは支柱本体６ｂの軸心線回りに９０°ずつ位相をずらして４個設けられている。フランジ６ｃ同士の間では、各係止穴６ｄは同一位相状に配置されている。
【００５９】
下枠１０は、帯板状のものであり、板面を略水平方向にして水槽袋４の周囲部の下側に配置される。この下枠１０の１枚分の長さは、隣り合う支柱６，６同士の間隔と略同等よりも若干長いものとなっている。各下枠１０の両端側には、それぞれ、開口１０ａが設けられている。この開口１０ａは、各フランジ６ｃの通過は許容するが、座板６ａの通過は許容し得ない大きさとなっている。
【００６０】
この実施の形態では、上枠８及び中間枠１２は、それぞれ、隣り合う支柱６，６同士の間に架設される長さを有する棒状のものであり、両端に、前記係止穴６ｄに係合可能なフック部８ａ，１２ａが設けられている。なお、この実施の形態では、上枠８と中間枠１２とは共通の部材であり、相互に互換可能となっている。
【００６１】
第２図に示すように、水槽袋４の各側壁４ｂの上縁には、該上枠８が挿通されるトンネル状の挿通部４ｃが設けられている。この実施の形態では、各側壁４ｂの上縁部を折り返すと共に、その先端側を接着や溶着あるいはファスナー等により該側壁４ｂの外面に結合することにより上枠挿通部４ｃが形成されている。
【００６２】
なお、各側壁４ｂの上縁の長手方向中間部には切欠部４Ａが設けられ、この切欠部４Ａにおいて上枠挿通部４ｃが露呈している。
【００６３】
上側補助枠１４は棒状のものであり、両端側には、それぞれ、支柱本体６ｂの上端側が挿通される挿通穴１４ａが設けられている。この挿通穴１４ａは、フランジ６ｃの通過は許容し得ない大きさとなっている。
【００６４】
下側補助枠１６は帯板状のものであり、その両端側には、支柱本体６ｂが挿通される開口１６ａが設けられている。この開口１６ａは、各フランジ６ｃの通過は許容するが、座板６ａの通過は許容し得ない大きさとなっている。
【００６５】
水槽袋４の素材としては、軟質ポリ塩化ビニル系樹脂、ポリエチレン系樹脂、オレフィン系樹脂等が好適であるが、これに限定されない。
【００６６】
かかる構成の組み立て式水槽１の組み立て手順の一例を以下に説明する。
【００６７】
この組み立て式水槽１を組み立てるに当っては、各支柱６を立て、隣接する支柱６，６に跨って各下枠１０を設置する。この際、下枠１０の開口１０ａに支柱本体６ｂが内挿される。下枠１０を支柱本体６ｂに沿って落し込み、該下枠１０の両端を座板６ａ上に重ねる。なお、すべての支柱６を立ててから下枠１０を設置してもよく、一部の支柱６を立てた後に下枠１０を設置してもよい。支柱６を立てるに際しては、各支柱６の係止穴６ｄが隣接する支柱６同士を結ぶ直線上に配置されるようにする。
【００６８】
なお、コンビナートや工場等の敷地内に水槽１の設置予定エリアを定めておき、このエリア内に、各支柱６の設置位置を予めマークしておいてもよい。このマークの上に各支柱６を設置するようにすることにより、水槽１の組み立てを正確に且つ迅速に行うことができる。
【００６９】
次に、中間部の支柱６，６間に下側補助枠１６を架け渡す。この際、下側補助枠１６の開口１６ａに支柱本体６ｂが挿通される。下側補助枠１６を支柱本体６ｂに沿って落し込み、その両端を下枠１０の上に重ねる。
【００７０】
次に、隣り合う支柱６，６の下段のフランジ６ｃ，６ｃ同士及び中段のフランジ６ｃ，６ｃ同士の間にそれぞれ中間枠１２を架け渡す。この際、中間枠１２のフック部１２ａを各フランジ６ｃの係止穴６ｄに係合させる。
【００７１】
中間枠１２を支柱６の全周にわたって設置した後、その内側に、水槽袋４を配置する。この際、該水槽袋４の切欠状部４Ａに支柱６の上部が臨む。
【００７２】
次いで、この水槽袋４の各上枠挿通部４ｃにそれぞれ上枠８を挿通する。各上枠８は、隣り合う支柱６，６間に位置する。各上枠８の両端のフック部８ａを各フランジ６ｃの係止穴６ｄに係合させることにより、上枠８が各支柱６間に架設される。
【００７３】
その後、中間部に位置する支柱６，６同士の間に上側補助枠１４を架け渡す。この際、上側補助枠１４の両端側の挿通穴１４ａに支柱６の支柱本体６ｂの上端部を差し込む。これにより、水槽１の組み立てが完了する。
【００７４】
この水槽１にあっては、帯板状の下枠１０が水槽袋４の底面４ａの周縁部の下側に配置される。従って、水槽袋４内に水が供給されると、この水の重量によって下枠１０が上方から押え付けられる。そのため、該水槽袋４の側壁４ｂの下部に大きな側圧がかかったり、側壁４ｂの一部に局部的に水流が当っても、側壁４ｂが傾いたり変形したりすることが防止される。
【００７５】
この実施の形態では、下枠１０の両端側の開口１０ａに支柱６の支柱本体６ｂをそれぞれ挿通し、この開口１０ａを支柱６の座板６ａ上に落し込む如くして下枠１０と支柱とを連結する。この連結は極めて簡単である。また、上枠８及び中間枠１２をそれぞれ支柱６に連結するに際しては、各々の両端のフック部８ａ，１２ａを支柱６の各フランジ６ｃの係止穴６ｄに係合させる。この連結も極めて簡単である。このため、組み立て式水槽１を容易に且つ迅速に組み立てることができる。
【００７６】
本発明の組み立て式水槽にあっては、水槽袋内の貯流水を排出するための水抜き手段が設けられてもよい。第７図は、この水抜き手段の一例として水抜きホースを備えた組み立て式水槽１Ａの要部斜視図であり、第８図は、この水槽１Ａの要部立面図である。
【００７７】
この組み立て式水槽１Ａにおいては、水槽袋４のコーナー部の下隅付近に水抜き穴（図示略）が設けられ、この水抜き穴に水抜きホース２０が接続されている。この実施の形態では、該ホース２０は水槽袋４と同様の材質よりなる。ホース２０の基端は、接着や溶着等の結合手段により該水抜き穴の周縁部に結合されている。この実施の形態では、該水抜き穴及びホース２０は常時水槽袋４の内外を連通している。このホース２０の長さは、水槽袋４の側壁４ｂの高さよりも大きなものとなっている。このホース２０の内径は、例えば５０ｍｍ程度とされるが、これに限定されない。
【００７８】
この組み立て式水槽１Ａのその他の構成は、前述の第１〜６図の組み立て式水槽１と同様となっている。
【００７９】
この組み立て式水槽１Ａを前述の組み立て式水槽１と同様の手順にて組み立てた後、水槽袋４に水を貯める場合、第８図に示すように、ホース２０を支柱６に沿って上方へ引き上げ、該ホース２０の先端を水槽袋４の上縁よりも高位となる高さに配置しておく。これにより、水がホース２０を介して流出することなく水槽袋４内に貯留される。
【００８０】
なお、この実施の形態では、ホース２０を支柱６に沿って上方へ引き上げた後、ロープ等の結束具２０ａを用いて該ホース２０の先端側を支柱６の上部に固定している。ただし、このホース２０の固定方法はこれに限定されるものではない。例えば、ホース２０の先端側にフック等の係止手段を設けておき、このフック等を支柱６の上部（例えば上段のフランジ６ｃや支柱本体６ｂの上端開口）に引掛けるようにしてもよい。
【００８１】
この水槽袋４内の貯留水を排出する場合には、該結束具２０ａによる拘束を解除してホース２０を下方へ垂らす。これにより、該ホース２０を介して水が排出される。
【００８２】
第９図は別の水抜き手段を備えた組み立て式水槽１Ｂの要部斜視図である。
【００８３】
この組み立て式水槽１Ｂにおいては、水槽袋４の側壁４ｂの下隅付近に水抜き穴（図示略）が設けられ、この水抜き穴に水抜きプラグ２２が接続されている。この水抜きプラグ２２には、該水抜きプラグ２２からの吐水と止水とを切り替える開閉バルブ２３が設けられている。符号２３ａは、この切替操作を行うためのバルブハンドルを示している。
【００８４】
この実施の形態では、該水抜きプラグ２２は樹脂チューブよりなる。該樹脂チューブの基端は、接着や溶着等の結合手段により前記水抜き穴の周縁部に結合されている。この実施の形態では、開閉バルブ２３も樹脂製となっている。ただし、水抜きプラグ２２及び開閉バルブ２３の構成はこれに限定されない。
【００８５】
この組み立て式水槽１Ｂのその他の構成は、前述の第１〜６図の組み立て式水槽１と同様となっている。
【００８６】
かかる構成の組み立て式水槽１Ａにあっては、バルブ２３を閉じた状態で水槽袋４に水を貯留する。この水槽袋４内の貯留水を排出する場合には、ハンドル２３ａを操作してバルブ２３を開ける。これにより、水抜きプラグ２２を介して水が排出される。
【００８７】
なお、水槽袋の水抜き手段は上記の各構成に限定されるものではない。例えば、水抜き穴に蓋ないし栓を設けただけの構成であってもよい。
【００８８】
第１０図（ａ）は支柱の別の構成例を示す斜視図であり、第１０図（ｂ）は第１０図（ａ）のＢ−Ｂ線に沿う断面図である。また、第１１図はこの支柱と上枠との連結部分の斜視図であり、第１２図はこの支柱と中間枠との連結部分の分解斜視図である。
【００８９】
この実施の形態では、支柱６Ａは、第１０図（ａ）に示すように、座板６ａと、該座板６ａから起立した支柱本体６ｂと、該支柱本体６ｂの上部に設けられた、上枠係止部としてのフランジ６ｃ’と、該支柱本体６ｂの高さ方向の途中の２箇所に設けられた、上側中間枠用及び下側中間枠用の各係止部としての管状体６ｅとを備えている。該フランジ６ｃ’は、座板６ａよりも小径となっている。各管状体６ｅは、軸心線方向を上下方向としてそれぞれ支柱本体６ｂの側面に固着されている。なお、各管状体６ｅの内孔は、上端側がテーパ状に拡開した形状となっている。
【００９０】
上段側及び下段側の各中間枠係止部においては、管状体６ｅは、支柱本体６ｂの軸心線周りに９０°ずつ位相をずらして４個設けられている。また、これらの中間枠係止部同士の間においては、各管状体６ｅは同一位相状に配置されている。第１０図（ｂ）に示す通り、各中間枠係止部において、支柱本体６ｂを挟んで反対側に位置する管状体６ｅ，６ｅ同士の間で該支柱本体６ｂの径方向に最も離隔した部分（外周面）同士の間隔は、座板６ａの径よりも小さなものとなっている。
【００９１】
この実施の形態では、下枠１０の両端の開口１０ａ（第１〜６図参照）の径は、フランジ６ｃ’及び各中間枠係止部（管状体６ｅ）の通過は許容するが、座板６ａの通過は許容しない大きさとなっている。
【００９２】
この実施の形態では、第１１図に示す通り、上枠８Ａの両端側には、それぞれ、支柱本体６ｂが挿通される挿通穴８ｂが設けられている。この挿通穴８ｂは、フランジ６ｃ’の通過は許容しない大きさとなっている。
【００９３】
第１２図に示す通り、中間枠１２Ａの両端側には、それぞれ、管状体６ｅに係合可能なフック部１２ａ’が設けられている。
【００９４】
なお、支柱６Ａは、例えば、以下の寸法にて構成される。
座板６ａ：直径２５０ｍｍ，厚さ６ｍｍ
支柱本体６ｂ：直径５０ｍｍ，高さ９８０ｍｍ
フランジ６ｃ’：直径１０ｍｍ，厚さ６ｍｍ，座板６ａからの高さ８５０ｍｍ
管状体６ｅ：外径３４ｍｍ，内径２５ｍｍ，軸心線方向の長さ５０ｍｍ，上側中間
枠係止部における座板６ａから上端面までの高さ５００ｍｍ，下側中
間枠係止部における座板６ａから上端面までの高さ２００ｍｍ
ただし、これは一例であり、これに限定されるものではない。
【００９５】
かかる構成の支柱６Ａを用いて組み立て式水槽を組み立てるに当っては、各支柱６Ａの管状体６ｅが隣接する支柱６Ａ，６Ａ同士を結ぶ直線状に配置されるように支柱６Ａを並べ、隣接する６Ａ，６Ａに跨って下枠１０、中間枠１２Ａ及び上枠８Ａを設置する。
【００９６】
この実施の形態でも、下枠１０の両端側の開口１０ａに各支柱６Ａの支柱本体６ｂをそれぞれ挿通し、この開口１０ａを支柱６Ａの座板６ａ上に落し込む如くして下枠１０と支柱６Ａとを連結する。この連結は極めて簡単である。
【００９７】
中間枠１２Ａを支柱６Ａに連結するに際しては、該中間枠１２Ａの両端のフック部１２ａ’を管状体６ｅの内孔に上方から落とし込むようにして係合させる。この連結も極めて簡単である。
【００９８】
上枠８Ａを支柱６Ａに連結するに際しては、該上枠８Ａの両端の挿通穴８ｂに支柱本体６ｂの上端部を差し込み、上枠８Ａを該支柱本体６ｂに沿って落し込んで支柱上部のフランジ６ｃ’上に係止する。この場合にも、上枠８Ａを支柱６Ａに対し簡単に且つ迅速に連結することができる。
【００９９】
本発明においては、下枠や下側補助枠、上側補助枠等を、水槽分解時（支柱に対し非連結となっているとき）に各々の延在方向の長さを短くすることができるように構成してもよい。第１３〜１７図に、このように構成された下枠１００、下側補助枠１６０及び上側補助枠１４０と、これらを備えた組み立て式水槽１Ｃとを示す。なお、第１３図（ａ）は下枠１００の平面図、第１３図（ｂ）はこの下枠１００の折り畳み状態を示す斜視図、第１４図（ａ），（ｂ）はそれぞれ下側補助枠１６０及び上側補助枠１４０の斜視図、第１５図及び第１６図は、それぞれ、該下枠１００、下側補助枠１６０及び上側補助枠１４０を備えた組み立て式水槽１Ｃの組み立て途中時及び組み立て完了時の斜視図、第１７図は該上側補助枠１４０の支柱６への係止状態を示す斜視図（拡大図）である。
【０１００】
第１３図（ａ）に示すように、下枠１００は、水槽構築時（支柱６，６の下部同士を連結した状態）における該下枠１００の長さの略半分程度の長さを有する２枚の帯板状の短板１０１ａ，１０１ｂよりなる。これらの短板１０１ａ，１０１ｂは、第１３図（ａ）の如く互いの板面を略面一状にして一直線状に延在した直列状態と、第１３図（ｂ）の如く該板面を向かい合わせにして重なり合った折り畳み状とをとりうるように、各々の長手方向の一端側同士が回動結合部材としてのヒンジ１０２によって結合されている。
【０１０１】
各短板１０１ａ，１０１ｂの他端側（これらの短板１０１ａ，１０１ｂを直列状態としたときの下枠１００の両端側）には、それぞれ、支柱６を挿通するための開口１０３が設けられている。この開口１０３は、該支柱６の支柱本体６ｂ及びその途中の各フランジ６ｃの通過は許容するが、その下端の座板６ａの通過は許容しない大きさとなっている。符号１０３ａは、この開口１０３の周縁部に取り付けられた補強部材を示している。
【０１０２】
なお、下枠１０１ａ，１０１ｂ同士を直列状態としたときの、各々の開口１０３，１０３同士の間隔は、前述の第１〜６図の実施の形態における下枠１０の両端側の開口１０ａ，１０ａ同士の間隔と略同じとなっている。
【０１０３】
第１３図の通り、この下枠１００をその延在方向の中間付近（ヒンジ１０２）から２つ折りにするようにして短板１０１ａ，１０１ｂ同士を重ね合わせることにより、該下枠１００の長さを水槽組み付け時の略半分程度にまで短くすることができる。
【０１０４】
第１４図（ａ）に示すように、下側補助枠１６０は、水槽袋４の両側に立設された１対の支柱６，６の下部にそれぞれ係止される２枚の帯板状の係止体１６１ａ，１６１ｂと、これらの係止体１６１ａ，１６１ｂの長手方向の一端側同士を連結した変形自在な線状部材としてのチェーン１６２とからなる。
【０１０５】
各係止体１６１ａ，１６１ｂの他端側には、それぞれ、支柱６を挿通するための開口１６３が設けられている。この開口１６３も、該支柱６の支柱本体６ｂ及びその途中の各フランジ１６ｃの通過は許容するが、その下端の座板６ａの通過は許容しない大きさとなっている。符号１６３ａは、この開口１６３の周縁部に取り付けられた補強部材を示している。
【０１０６】
各係止体１６１ａ，１６１ｂの長さは、水槽構築時（水槽袋４の両側に立設された支柱６，６の下部同士を連結した状態）における下側補助枠１６０の所要長さの半分よりも短いものとなっている。
【０１０７】
この下側補助枠１６０は、図示の如くチェーン１６２が係止体１６１ａ，１６１ｂ同士の間でピンと張るように該係止体１６１ａ、チェーン１６２及び係止体１６１ｂを一直線状に延在させた状態において、各係止体１６１ａ，１６１ｂの開口１６３，１６３同士の間隔が、前述の第１〜６図の実施の形態における下側補助枠１６の両端側の開口１６ａ，１６ａ同士の間隔と略同じになるよう構成されている。
【０１０８】
このチェーン１６２を屈曲させて係止体１６１ａ，１６１ｂ同士を重ね合わせることにより、下側補助枠１６０の長さを水槽組み付け時の長さの半分よりも短くすることができる。
【０１０９】
第１４図（ｂ）に示すように、上側補助枠１４０は、水槽４の両側に立設された１対の支柱６，６の上部にそれぞれ係止される２個の係止体１４１ａ，１４１ｂと、該係止体１４１ａ，１４１ｂ同士を連結した、変形自在な線状部材としてのチェーン１４２と、各係止体１４１ａ，１４１ｂの支柱６からの離脱防止部材１４３，１４３とを備えている。
【０１１０】
各係止体１４１ａ，１４１ｂは、この実施の形態では図示の通りリング状の部材であり、その内側の開口径は、支柱本体６ａの上端側の挿通は許容するが、その途中のフランジ６ｃの通過は許容しない大きさとなっている。
【０１１１】
チェーン１４２の長さは、該チェーン１４２がピンと張るように係止体１４１ａ，１４１ｂ同士を離反させたときに、該係止体１４１ａ，１４１ｂ同士の間隔が、前述の第１〜６図の実施の形態における上側補助枠１４の両端側の挿通孔１４ａ，１４ｂ同士の間隔と略同じになるように設定されている。
【０１１２】
各離脱防止部材１４３は、この実施の形態では、各係止体１４１ａ，１４１ｂからチェーン１４２と反対側へ延出したチェーン１４３ａと、該チェーン１４３ａの先端側に設けられたフック１４３ｂとからなる。該チェーン１４３ａは、支柱６の上段側のフランジ６ｃから中段側のフランジ６ｃまで引き回しうる長さとなっている。また、フック１４３ｂは、該フランジ６ｃの係止穴６ｄに係止しうるものとなっている。
【０１１３】
この上側補助枠１４０は、各チェーン１４２，１４３ａを巻き取るようにして、水槽組み付け時よりも長さを短くしたり、塊状とすることができる。
【０１１４】
この実施の形態の組み立て式水槽１Ｃは、前述の第１〜６図の実施の形態の組み立て式水槽１において、下枠１０、下側補助枠１６及び上側補助枠１４の代わりに上記の下枠１００、下側補助枠１６０及び上側補助枠１４０を用いたものである。この組み立て式水槽１０Ｃのその他の構成は、該組み立て式水槽１０と同様である。以下に、この組み立て式水槽１Ｃの組み立て手順の一例について説明する。
【０１１５】
この組み立て式水槽１０Ｃを組み立てるに当っては、まず、前述の実施の形態と同様にして支柱６を立てる。次いで、各下枠１００を第１３図（ａ）の如く展開させ、隣り合う支柱６，６に跨ってこの下枠１００を設置する。この際、該下枠１００の両端側の開口１０３，１０３に各支柱６を挿入し、上方から該支柱６に沿って下枠１００を落とし込み、その両端側を各支柱６の座板６ａの上に重ねる。
【０１１６】
次に、水槽袋４の各側壁の中間部に位置する支柱６のうち、該水槽袋４を挟んで向かい合う支柱６，６同士間に、下側補助枠１６０を掛け渡す。この際、該下側補助枠１６０の両端側の係止体１６１ａ，１６１ｂの各開口１６３に各支柱６を挿入し、上方から該支柱６に沿って各係止体１６１ａ，１６１ｂを落とし込み、これらを下枠１００の上に重ねる。
【０１１７】
第１５図は、この下側補助枠１６０の設置が完了した状態を示している。
【０１１８】
次に、支柱６，…，６の全周にわたって中間枠１２及び上枠８を設置すると共に、その内側に水槽袋４を設置する。これらの中間枠１２、上枠８及び水槽袋４の設置手順は前述の実施の形態と同様であり、説明を省略する。
【０１１９】
その後、該水槽袋４の各側壁の中間部に位置する支柱６のうち該水槽袋４を挟んで向かい合う支柱６，６の上端部同士の間に、上側補助枠１４０を掛け渡す。この際、該上側補助枠１４０の両端側の係止体１４１ａ，１４１ｂに各支柱６の上端部を挿入し、上方から該支柱６に沿って各係止体１４１ａ，１４１ｂを落とし込み、これらを各支柱６の上段側のフランジ６ｃの上に重ねる。
【０１２０】
次いで、第１７図に示すように、各係止体１４１ａ，１４１ｂから延出した離脱防止部材１４３のチェーン１４３ａをそれぞれ下方へ引き回し、各々の先端のフック１４３ｂを各支柱６の中段側のフランジ６ｃの係止穴６ｄに引掛ける。
【０１２１】
これにより、水槽１Ｃの組み立てが完了する。
【０１２２】
この組み立てられた水槽１Ｃにあっては、各離脱防止部材１４３により、上側補助枠１４０の各係止体１４１ａ，１４１ｂが支柱６から上方へ離脱することが防止されているため、水槽袋４に水を供給する際などに加わる振動等によって上側補助枠１４０が不用意に支柱６から外れることが防止される。
【０１２３】
この組み立てられた水槽１Ｃは、上記の組み立て手順と逆の手順により分解することができる。
【０１２４】
この実施の形態では、下枠１００、下側補助枠１６０及び上側補助枠１４０を支柱６から外した後、各々の延在方向の長さを短くすることができるので、この分解した組み立て式水槽１Ｃの収納スペースを比較的小さくすることができる。また、このように長さを短くすることにより、運搬時にもこれらの部材が嵩張らず、運搬作業を比較的容易に行うことができる。
【０１２５】
第１８図にこの分解した組み立て式水槽１Ｃの収納方法の一例を示す。なお、第１８図（ａ）は未収納状態における収納用ラック２００の斜視図であり、第１８図（ｂ）はこのラック２００に分解した組み立て式水槽１Ｃを収納した状態を示している。
【０１２６】
第１８図（ａ）の通り、このラック２００は、組み立て式水槽１Ｃの各部材が積載される架台２０１と、この架台２０１の各コーナー部から該架台２０１の上面を囲むように立設された主支柱２０２と、この架台２０１の上面を積載部２０４，２０５の２面に仕切る仕切り支柱２０３と、塊状とされた上側補助枠１４０を収容するためのケース２０６とを有している。
【０１２７】
このラック２００に分解した組み立て式水槽１Ｃを収納する場合、第１８図（ｂ）のように、各下枠１００及び下側補助枠１６０を折り畳んで一方の積載部２０４に積み重ねると共に、各上枠８、中間枠１２、水槽袋４及び各支柱６を他方の積載部２０５に積み重ねる。なお、この実施の形態では、積載部２０５上にまず各上枠８及び中間枠１２を載せ、次いでその上に水槽袋４を折り畳んで載せ、さらにその上に各支柱６を載せている。また、各上側補助枠１４０を、チェーン１４２，１４３ａをそれぞれ巻き取るようにして塊状とし、ケース２０６内に収納する。ただし、このラック２００への収納方法はこれに限定されるものではない。
【０１２８】
上記の実施の形態は本発明の一例を示すものであり、本発明は上記の実施の形態に限定されるものではない。
【０１２９】
水槽の大きさは、例えば高さ０．５〜１．５ｍ、１辺の長さ２〜６ｍ程度とされるが、これに限定されない。
【０１３０】
上記の各実施の形態では、水槽袋は、直交２方向の各辺の長さがいずれも各枠の略２本分の長さとなっているが、水槽袋の各辺の長さはこれに限定されない。例えば、各枠の略１本分の長さを基本単位として、水槽袋の直交２方向の各辺の長さの比を１：１，１：２，１：３，２：３，２：４，３：３などと変更することにより、支柱や各枠を共通の部材として種々異なる大きさの水槽を構築することができる。
【０１３１】
水槽の組み立て後の平面視形状は、例えば円形や楕円形、多角形などの種々の形状とすることができる。
【０１３２】
本発明の組み立て式水槽を構成する各部材の材質は、十分な強度を得られるものであれば、特に制限はない。例えば、帯板状の下枠や下側補助枠は、木板や合成樹脂（グラスファイバーやカーボンファイバー等の繊維強化樹脂を含む）板、金属板など、種々の材質の板状体により構成することができる。なお、重量や加工のし易さ、コスト等を考慮すると、木板により下枠や下側補助枠を構成するのが好ましい。この場合、木板に防腐処理を施すのが好ましい。
【０１３３】
上記の第１３〜１７図の実施の形態では、下枠、下側補助枠及び上側補助枠を、水槽分解時に各々の延在方向の長さを短くすることができるように構成しているが、上枠及び中間枠も、水槽分解時に各々の延在方向の長さを短くすることができるように構成してもよい。
【０１３４】
上記の第１３〜１７図の実施の形態では、下側補助枠の係止体同士及び上側補助枠の係止体同士をそれぞれ連結する変形自在な線状部材としてチェーンを用いているが、これ以外にも、ロープやワイヤ、ベルトなど、種々の形態の線状部材を用いることができる。この線状部材の材質にも特に制限はない。
【図面の簡単な説明】
【０１３５】
【図１】実施の形態に係る組み立て式水槽の組み立て完了状態における斜視図である。
【図２】水槽袋の斜視図及び断面図である。
【図３】下枠及び支柱の全体斜視図である。
【図４】支柱の斜視図及び支柱と下枠との連結部分の分解斜視図である。
【図５】支柱と上枠及び中間枠との連結部分の拡大斜視図である。
【図６】支柱と上側補助枠との連結部分の拡大斜視図である。
【図７】別の実施の形態に係る組み立て式水槽の要部斜視図である。
【図８】図７の組み立て式水槽の要部立面図である。
【図９】さらに別の実施の形態に係る組み立て式水槽の要部斜視図である。
【図１０】別の構成例に係る支柱の斜視図及び断面図である。
【図１１】図９の支柱と上枠との連結部分の分解斜視図である。
【図１２】図９の支柱と中間枠との連結部分の分解斜視図である。
【図１３】別の実施の形態に係る下枠の平面図及び斜視図である。
【図１４】別の実施の形態に係る下側補助枠及び上側補助枠の平面図である。
【図１５】図１３，１４の下枠、下側補助枠及び上側補助枠を備えた組み立て式水槽の組み立て途中時の斜視図である。
【図１６】図１５の組み立て式水槽の組み立て完了時の斜視図である。
【図１７】図１４の上側補助枠の支柱への係止状態を示す斜視図である。
【図１８】図１５，１６の組み立て式水槽の収納方法の一例を示す斜視図である。
【符号の説明】
【０１３６】
１，１Ａ，１Ｂ，１Ｃ  組み立て式水槽
２  枠体
４  水槽袋
６，６Ａ  支柱
６ａ  座板
６ｂ  支柱本体
６ｃ，６ｃ’  フランジ
６ｄ  係止穴
６ｅ  管状体
８，８Ａ  上枠
８ａ，８ａ’  フック部
８ｂ  挿通穴
１０，１００  下枠
１０ａ  開口
１２，１２Ａ  中間枠
１２ａ，１２ａ’  フック部
１４，１４０  上側補助枠
１４ａ  挿通穴
１６，１６０  下側補助枠
１６ａ  開口
２０  水抜きホース
２２  水抜きプラグ
２３  開閉バルブ
１０１ａ，１０１ｂ  短板
１０２  ヒンジ
１０３  開口
１４１ａ，１４１ｂ，１６１ａ，１６１ｂ  係止体
１４２，１６２  チェーン
１４３  離脱防止部材
１４３ａ  チェーン
１４３ｂ  フック
【図１】
2006137492.tif 000003
【図２】
2006137492.tif 000004
【図３】
2006137492.tif 000005
【図４】
2006137492.tif 000006
【図５】
2006137492.tif 000007
【図６】
2006137492.tif 000008
【図７】
2006137492.tif 000009
【図８】
2006137492.tif 000010
【図９】
2006137492.tif 000011
【図１０】
2006137492.tif 000012
【図１１】
2006137492.tif 000013
【図１２】
2006137492.tif 000014
【図１３】
2006137492.tif 000015
【図１４】
2006137492.tif 000016
【図１５】
2006137492.tif 000017
【図１６】
2006137492.tif 000018
【図１７】
2006137492.tif 000019
【図１８】
2006137492.tif 000020